(57)【要約】      （修正有）【課題】構造が簡単で、より多くの水を搭載することができ、さらに水の逆流を防止し加湿効果に影響を及ぼさない超音波加湿器のエアダクト構造を提供する。【解決手段】加湿器筐体１の中上部に水を搭載する収容チャンバー１０を設けた超音波加湿器のエアダクト構造であり、収容チャンバー中に、加湿器筐体底部に位置するファンと組み合わせて使用する１本の独立通風溝２を設置する。独立通風溝の下端に、収容チャンバー外部に位置する吸風口を設け、さらに独立通風溝の上部に、収容チャンバー内部に位置する排風口を設ける。排風口を、収容チャンバー上部に近接した位置に配置し、収容チャンバー上部の開口部分を排気カバー１００で覆う。【選択図】図３
0003198431.tif 000002
【実用新案登録請求の範囲】
【請求項１】
加湿器筐体（１）を含み、加湿器筐体（１）の中上部に水を搭載する収容チャンバー（１０）を設けた、超音波加湿器のエアダクト構造であって、前記収容チャンバー（１０）中に、加湿器筐体（１）底部に位置するファンと組み合わせて使用する１本の独立通風溝（２）を設置し、当該独立通風溝（２）の下端に、収容チャンバー（１０）外部に位置する吸風口（２０）を設け、さらに独立通風溝（２）の上部に、収容チャンバー（１０）内部に位置する排風口（２１）を設け、当該排風口（２１）が収容チャンバー（１０）上部に近接した位置にあり、さらに収容チャンバー（１０）上部の開口部分は排気カバー（１００）で覆われることを特徴とする、超音波加湿器のエアダクト構造。
【請求項２】
前記収容チャンバー（１０）中に、前記排風口（２１）部分を覆う上キャップ（３）をさらに設置し、当該上キャップ（３）の底表面が上に持ち上がり、排風口（２１）が設けられた前記独立通風溝（２）上部の部分をその内側に挿入させることができる被覆溝（３０）を形成し、さらに前記被覆溝（３０）の一端側に位置する上キャップ（３）の上表面が下にくぼんだ１つのくぼみ部（３１）を形成し、当該くぼみ部（３１）の底部に、収容チャンバー（１０）中のガイドフレームを通過させることができる接続貫通孔（３１０）を１つ設け、さらにくぼみ部（３１）の側壁に空気を通過させることができる通気孔（３１１）を設け、前記通気孔（３１１）と、前記収容チャンバー（１０）上部の開口部分を覆う排気カバー（１００）とは互いに通じており、前記排風口（２１）の水平高さが、上キャップ（３）の端面の水平高さ以上であることを特徴とする、請求項１に記載の超音波加湿器のエアダクト構造。
【請求項３】
前記上キャップ（３）の外周縁および収容チャンバー（１０）の内壁が互いに接触することを特徴とする、請求項２に記載の超音波加湿器のエアダクト構造。
【請求項４】
前記くぼみ部（３１）が、上キャップ（３）の中央位置部分に位置することを特徴とする、請求項２または３に記載の超音波加湿器のエアダクト構造。
【請求項５】
前記被覆溝（３０）が、上キャップ（３）の外周縁に近接した位置部分に設けられることを特徴とする、請求項４に記載の超音波加湿器のエアダクト構造。
【考案の詳細な説明】
【技術分野】
【０００１】
本考案は超音波加湿器に関し、特に超音波加湿器に用いられるエアダクト構造に関する。
【背景技術】
【０００２】
周知のように、既存の超音波加湿器は、主に超音波振動器を利用して超音波を発生させ、収容チャンバー中の水を霧化して水蒸気にする。続いて超音波加湿器内部に設置したファンで風を当てることにより、水蒸気を空気中に拡散させ、空気を加湿する。
【考案の概要】
【考案が解決しようとする課題】
【０００３】
既存の超音波加湿器の大部分は、エアダクト構造に欠点が存在する。それは、収容チャンバーの水位面の水平高さと、エアダクト出口の水平高さとが基本的に同じであり、収容チャンバー中に水が満たされているとき、（１）水のエアダクトへの逆流が起こりやすく、（２）エアダクトの風が吹き出せないため、霧化した水蒸気を空中に拡散させられないことである。それにより、空気を加湿することができず、当該超音波加湿器の加湿効果に影響を及ぼす。上記問題を解決するため、本考案の目的は、構造が簡単で、超音波加湿器により多くの水を搭載することができ、さらに超音波加湿器の加湿効果に影響を及ぼさない通風ダクト構造を提供することである。
【課題を解決するための手段】
【０００４】
本考案において、その技術的問題を解決するために採用した技術案は次の通りである。
【０００５】
超音波加湿器に用いられるエアダクト構造は、加湿器筐体を含み、加湿器筐体の中上部には水を搭載する収容チャンバーが設けている。前記収容チャンバー中に、加湿器筐体底部に位置するファンと組み合わせて使用する１本の独立通風溝が設置されている。当該独立通風溝の下端に、収容チャンバー外部に位置する吸風口が設けてあり、さらに独立通風溝の上部には、収容チャンバー内部に位置する排風口が設けている。当該排風口は収容チャンバー上部に近接した位置にあり、さらに収容チャンバー上部の開口部分は排気カバーで覆われる。
【０００６】
上記技術案のさらなる改良として、次のように構成することが好ましい。即ち、前記収容チャンバー中に、前記排風口部分を覆う上キャップがさらに設置されている。当該上キャップの底表面が上に持ち上がり、排風口が設けられた前記独立通風溝上部の部分をその内側に挿入させることができる被覆溝が形成され、さらに前記被覆溝の一端側に位置する上キャップの上表面が下にくぼんだ１つのくぼみ部が形成されている。当該くぼみ部の底部に、収容チャンバー中のガイドフレームを通過させることができる接続貫通孔が１つ設けられており、さらにくぼみ部の側壁に気体を通過させることができる通気孔が設けられている。前記通気孔と、前記収容チャンバー上部の開口部分を覆う排気カバーとは互いに通じており、前記排風口の水平高さは、上キャップの端面の水平高さ以上である。
【０００７】
上記技術案のさらなる改良として、前記上キャップの外周縁および収容チャンバーの内壁が互いに接触していることが好ましい。
【０００８】
また、前記くぼみ部が上キャップの中央位置の部分に位置することも好ましい。
【０００９】
そして、前記被覆溝が上キャップの周縁に近接した位置部分に設けられていることがさらに好ましい。
【考案の効果】
【００１０】
本考案の有益な効果は次の通りである。本考案では、収容チャンバー中に独立通風溝が設置され、独立通風溝の上部に、前記収容チャンバー上部に近接する排風口が設けられたため、本考案の超音波加湿器はより多くの水を搭載することができる。水面が排風口の位置より低ければよく、気流が排風口部分から吹き出すとき、収容チャンバー中で霧化した水蒸気と共に排気カバー部分から吹き出すことができ、本考案の超音波加湿器の加湿効果を保証する。そして、収容チャンバー中にさらに上キャップが設置され、当該上キャップに被覆溝およびくぼみ部がそれぞれ設けられている。当該くぼみ部の側壁に通気孔が設けられたため、独立通風溝に吹き出した風は当該通気孔を通過することができ、続いて霧化した水蒸気を空気中に拡散させ、さらには空気を加湿する。排風口の水平高さは上キャップの端面の水平高さ以上であるため、収容チャンバー中に水を満たしたとき、水位は最高でも上キャップの端面の水平高さと等しいに過ぎない。したがって、水位の水平高さは排風口の水平高さより高くなく、このとき、水は独立通風溝中に逆流することはない。ファンの動作時に生じる風は、独立通風溝の排風口を通過して収容チャンバーに進入することができ、続いてくぼみ部の側壁の通気孔部分から吹き出す。それにより、霧化後の水蒸気を空気中に拡散させることができ、超音波加湿器の加湿効果を保証する。
【図面の簡単な説明】
【００１１】
【図１】図１は、本考案のエアダクト構造を採用した超音波加湿器の外観構造の概要図である。
【図２】図２は、本考案のエアダクト構造を採用した超音波加湿器の分解構造の概要図である。
【図３】図３は、本考案のエアダクト構造を採用した超音波加湿器の内部構造の概要図である。
【図４】図４は、図１のＡ−Ａ線に沿った断面図である。
【図５】図５は、本考案における加湿器筐体の構造概要図である。
【図６】図６は、本考案における加湿器筐体の別の角度から見た構造概要図である。
【図７】図７は、本考案における上キャップの構造概要図である。
【図８】図８は、本考案における上キャップの別の角度から見た構造概要図である。
【図９】図９は、図３におけるＢ部分の拡大概要図である。
【考案を実施するための形態】
【００１２】
以下に、図面および考案を実施するための具体的な形態に基づいて、本考案をより詳細に説明する。
【００１３】
図１から図９を参照されたい。超音波加湿器に用いられるエアダクト構造は、加湿器筐体１を含み、加湿器筐体１の中上部には水を搭載する収容チャンバー１０が設けられている。前記収容チャンバー１０中に、加湿器筐体１底部に位置するファンと組み合わせて使用する１本の独立通風溝２が設置されている。ここで、独立通風溝２とは、収容チャンバー１０中の水と独立通風溝２中の空気とを隔てることができる独立通風溝２を指す。当該独立通風溝２の下端には、収容チャンバー１０外部に位置する吸風口２０が設けられており、独立通風溝２の上部には、収容チャンバー１０内部に位置する排風口２１が設けられている。当該排風口２１は収容チャンバー１０上部に近接した位置にあり、さらに収容チャンバー１０上部の開口部分は排気カバー１００で覆われている。本実施形態では、収容チャンバー１０中に独立通風溝２が設置され、独立通風溝２の上部に、前記収容チャンバー１０上部に近接する排風口２１が設けられたため、本実施形態の超音波加湿器にはより多くの水を搭載することができる。水面が排風口２１の位置より低ければよく、気流が排風口２１部分から吹き出すとき、収容チャンバー１０中で霧化した水蒸気と共に排気カバー１００部分から吹き出すことができ、本実施形態の超音波加湿器の加湿効果を保証する。
【００１４】
そして、前記収容チャンバー１０中に、前記排風口２１部分を覆う上キャップ３がさらに設置されている。当該上キャップ３の底表面が上に持ち上がり、排風口２１が設けられた前記独立通風溝２上部の部分をその内側に挿入させることができる被覆溝３０が形成されており、さらに前記被覆溝３０の一端側に位置する上キャップ３の上表面が下にくぼんだ１つのくぼみ部３１が形成されている。当該くぼみ部３１の底部に、収容チャンバー１０中のガイドフレームを通過させることができる接続貫通孔３１０が１つ設けられ、さらにくぼみ部３１の側壁に気体を通過させることができる通気孔３１１が設けられている。前記通気孔３１１と、前記収容チャンバー１０上部の開口部分を覆う排気カバー１００とは互いに通じている。前記排風口２１の水平高さは、上キャップ３の端面の水平高さ以上であり、好ましくは、前記排風口２１の水平高さは、上キャップ３の端面の水平高さより高い。収容チャンバー１０中に設置された上キャップ３には、被覆溝３０およびくぼみ部３１がそれぞれ設けられている。当該くぼみ部３１の側壁に通気孔３１１が設けられたため、独立通風溝２に吹き出した風は当該通気孔３１１を通過することができ、続いて霧化した水蒸気を空気中に拡散させ、さらには空気を加湿する。排風口２１の水平高さは上キャップ３の端面の水平高さ以上であるため、収容チャンバー１０中に水を満たしたとき、水位の高さは最高でも上キャップ３の端面と等しいに過ぎない。したがって、水位の水平高さは排風口２１の水平高さより高くなく、この時、水は独立通風溝２中に逆流することはない。ファンの動作時に発生する風は、独立通風溝２の排風口２１を通過して収容チャンバー１０中に進入することができ、続いてくぼみ部３１の側壁の通気孔３１１部分から吹き出し、さらには霧化した水蒸気を空気中に拡散させ、超音波加湿器の加湿効果を保証する。
【００１５】
またさらに、排風口２１部分から吹き出した風が、上キャップ３と収容チャンバー１０の内壁との間の隙間部分から吹き出すのを防止するため、好ましくは、前記上キャップ３の外周縁および収容チャンバー１０の内壁は接触する。この構造により、排風口２１部分から吹き出した風は通気孔３１１部分から集中的に吹き出すことができ、それにより霧化した水蒸気をより良好に空気中に拡散させ、超音波加湿器の加湿効果を保証する。
【００１６】
さらに、上キャップ３の生産、加工を便利にするため、好ましくは、前記くぼみ部３１は上キャップ３の中央位置の部分に位置する。より好ましくは、前記被覆溝３０は、上キャップ３の周縁に近接した位置の部分に設けられる。相応して、前記独立通風溝２も収容チャンバー１０の側壁に接近した位置の部分に設置される。以上の設置により、本実施形態のエアダクト構造をより無駄がなく、合理的なものにすることができる。
【００１７】
以上の記載は、本考案の好ましい実施形態に過ぎない。基本的に同様の手段で本考案の目的を実現する技術案であれば、いずれも本考案の技術的範囲に属する。
【符号の説明】
【００１８】
１  加湿器筐体
２  独立通風溝
３  上キャップ
１０  収容チャンバー
３１  くぼみ部
１００  排気カバー
３１１  通気孔
【図１】
0003198431.tif 000003
【図２】
0003198431.tif 000004
【図３】
0003198431.tif 000005
【図４】
0003198431.tif 000006
【図５】
0003198431.tif 000007
【図６】
0003198431.tif 000008
【図７】
0003198431.tif 000009
【図８】
0003198431.tif 000010
【図９】
0003198431.tif 000011